(57)【要約】【課題】薄型であるにもかかわらず、大きなろ過面積のフィルターを備えていて、より大量の汚染空気を効果的に浄化できる空気清浄機を提供する。【解決手段】左右細幅で縦長のケース本体１と、ケース本体１の前面開口を塞ぐ前部ユニット２とを備えている。前部ユニット２にパネル面の大半を占める縦長の吸込口１８を開口し、その内面側に少なくとも２以上のろ過平面２０ａを備えた立体構造のフィルター５を配置する。吸込口１８の外面は、複数の吸込開口３０を備えた立体構造の吸込グリル２７で覆う。フィルター５の突端と対向するケース本体１の後壁の上下４箇所に、ろ過空気をケース本体１の後方外面へ向かって送出するファンユニット４を配置する。フィルターエレメント２０に担持した光触媒物質を励起するために、フィルター５の内部に縦長の光源６を配置する。【選択図】図１
2007029283.tif 000002
【特許請求の範囲】
【請求項１】
左右細幅で縦長のケース本体（１）と、ケース本体（１）の前面開口を塞ぐ前部ユニット（２）とを備えており、
ケース本体（１）の内部に送風用のファンユニット（３）・（４）とフィルター（５）とが収容してある空気清浄機であって、
前部ユニット（２）の前面にユニット前面の大半を占める縦長の吸込口（１８）が開口されて、その内面側に少なくとも２以上のろ過平面（２０ａ）を備えた立体構造のフィルター（５）が配置されており、
フィルター（５）の突端と対向するケース本体（１）の後壁の上下複数箇所に、ろ過空気をケース本体（１）の後方外面へ向かって送出するファンユニット（４）が配置してある空気清浄機。
【請求項２】
左右細幅で縦長のケース本体（１）と、それぞれケース本体（１）の前面開口を塞ぐ上パネル（４１）および前部ユニット（２）とを備えており、
ケース本体（１）の内部に送風用のファンユニット（４３）・（４４）とフィルター（５）とが収容してある空気清浄機であって、
上パネル（４１）の内面上下に、ろ過空気をケース本体（１）の前方外面へ向かって送出する第１・第２の遠心ファンユニット（４３）・（４４）が配置されており、
前部ユニット（２）の前面に、ユニット前面の殆どを占める吸込口（１８）を開口し、吸込口（１８）の内側に少なくとも２以上のろ過平面（２０ａ）を備えた立体構造のフィルター（５）が装着されており、
ケース本体（１）の内部に、上側に位置する第１遠心ファンユニット（４３）の吸込口（５０）に連通する第１通路（５１）と、下側に位置する第２遠心ファンユニット（４４）の吸込口（５０）に連通する第２通路（５２）とが区画壁（５３）で区画されており、
両通路（５１）・（５２）がフィルター（５）の上半部と下半部に臨ませてある空気清浄機。
【請求項３】
フィルター（５）が、活性炭繊維を含むハニカム材で形成されるフィルターエレメント（２０）と、フィルターエレメント（２０）の上下両端を支持するろ過フレーム（２１）と、フィルターエレメント（２０）に担持された光触媒物質を含み、
前部ユニット（２）の吸込口（１８）とフィルターエレメント（２０）との間に区画されるろ過室（Ｒ）に、光触媒物質を励起する縦長の光源（６）が配置されており、
前部ユニット（２）の内面に装着したフィルター（５）および光源（６）とが、前部ユニット（２）と共にケース本体（１）から抜き外し可能である請求項１または２記載の空気清浄機。
【請求項４】
ケース本体（１）に収容されるフィルターエレメント（２０）が断面Ｖ字状に形成されており、
フィルターエレメント（２０）の左右のろ過平面（２０ａ）とケース本体（１）の両側壁との間に、通気空間が確保してある請求項１から３のいずれかに記載の空気清浄機。
【請求項５】
吸込口（１８）の外面が、複数の吸込開口（３０）を備えた立体構造の吸込グリル（２７）で覆われている請求項１から４のいずれかに記載の空気清浄機。
【請求項６】
第１遠心ファンユニット（４３）と第２遠心ファンユニット（４４）が、吸込口（５０）が互いに逆向きに開口する状態でケース本体（１）に上下に隣接配置してある請求項２記載の空気清浄機。
【発明の詳細な説明】
【技術分野】
【０００１】
本発明は、パチンコ遊技店、カラオケブース、飲食店における座敷、インターネットカフェのパソコンブース、あるいは一般家庭などで使用する空気清浄機に関する。
【背景技術】
【０００２】
例えば、パチンコ遊技機の周辺空気は、主に遊技機ユーザーの喫煙行為によって発生するタバコの呼出煙や副流煙、あるいはタバコに由来する浮遊粉塵などで汚染されている。喫煙者自身の主流煙や呼出煙はもちろんであるが、とくに副流煙には発ガン性を有する有害物質が大量に含まれていて公衆衛生上問題がある。
【０００３】
上記のようなタバコ煙を浄化するための空気清浄機は、例えば特許文献１、および特許文献２に公知である。前者文献においては、パチンコ遊技機の一側に配置される細幅で縦長のケースと、ケース内に配置されるシロッコファンユニットと、塵埃を除去するフィルターと、静電式空気浄化装置などで空気清浄機を構成している。そこでは、ケースの前面下部の吸込口からパチンコ遊技機の前面に漂う汚染空気を吸い込み、ケースの前面上部に開口する吹出口から浄化された空気を送出する。
【０００４】
特許文献２の空気清浄機は、パチンコ遊技機の上方に配置してあって、横貫流型のファンユニットで吸い込んだ汚染空気をフィルター部分で浄化したのち、浄化された空気を空気清浄機の上方および左右側方から排出する。フィルター部分は、繊維屑や埃などの比較的大きな浮遊塵を捕捉するネット状の前段フィルターと、タバコ煙に含まれる微粒子を捕捉する不織布と、汚染空気に含まれる臭いの微粒子を吸着するハニカム状活性炭などで多層状に構成してある。
【０００５】
【特許文献１】特開平１０−１５２２０号公報（段落番号０００８〜９、図７）
【特許文献２】特開平１０−１６５６２４号公報（段落番号００１４、図２）
【発明の開示】
【発明が解決しようとする課題】
【０００６】
特許文献１の空気清浄機では、塵埃を除去するフィルターと静電式空気浄化装置とで汚染空気を浄化処理するので、浮遊粉塵は概ね除去できるが、汚染空気の浄化作用に限界があり、先のようなタバコ由来の有害物質を充分に除去できない。ケースの前面上端に汚染空気の吸込口を開口し、ケースの前面下端に浄化した空気の吹出口を開口するので、汚染空気の吸い込み範囲が吸込口の周辺部に限られ、パチンコ遊技機の前面周辺に漂う汚染空気を有効に吸い込めない。
【０００７】
特許文献２の空気清浄機では、前段フィルターと、微粒子を捕捉する不織布と、汚染空気に含まれる臭いの微粒子を吸着するハニカム状活性炭とで汚染空気を浄化するので、汚染空気に含まれる浮遊塵、微粒子、臭いの微粒子を除去できるものの、まだ充分とは言えず、特許文献１と同様に、タバコに由来する有害物質の浄化能力に限界がある。
【０００８】
積層配置した前段フィルターと不織布とハニカム状活性炭とで汚染空気をろ過する形態をとるので、ろ過構造が複雑であるうえ、ろ過エレメントの清掃や交換を頻繁に行う必要があり、メンテナンスコストが嵩むのを避けられない。各ろ過エレメントが目詰まりするのに伴って通気抵抗が増加するが、各ろ過エレメントが積層してある分だけ通気抵抗が大きいため送風効率が低い。特許文献１、２の、いずれの空気清浄機の場合にも、汚染空気の吸い込み範囲が吸込口の周辺部分に限られるため、例えば空気清浄機に隣接配置したパチンコ遊技機から離れた通路部分に漂うタバコ煙を浄化できない。
【０００９】
本発明の目的は、薄型の空気清浄機であるにもかかわらず、大きなろ過面積のフィルターを備えていて、より大量の汚染空気を効果的に浄化できる空気清浄機を提供することにある。本発明の目的は、空気清浄機の周辺空気を効果的に吸い込むことができるうえ、タバコに由来する有害物質をも確実に除去できる空気清浄機を提供することにある。本発明の目的は、フィルター等の交換作業をより少ない手間で簡便に行える空気清浄機を提供することにある。
【課題を解決するための手段】
【００１０】
本発明の空気清浄機は、左右細幅で縦長のケース本体１と、ケース本体１の前面開口を塞ぐ前部ユニット２とを備えていて、ケース本体１の内部に送風用のファンユニット３・４とフィルター５とが収容してある。前部ユニット２の前面にユニット前面の大半を占める縦長の吸込口１８が開口されて、その内面側に少なくとも２以上のろ過平面２０ａを備えた立体構造のフィルター５が配置されている。フィルター５の突端と対向するケース本体１の後壁の上下複数箇所に、ろ過空気をケース本体１の後方外面へ向かって送出するファンユニット４を配置する。
【００１１】
本発明の別の空気清浄機は、左右細幅で縦長のケース本体１と、それぞれケース本体１の前面開口を塞ぐ上パネル４１および前部ユニット２とを備えていて、ケース本体１の内部に送風用のファンユニット４３・４４とフィルター５とが収容してある。上パネル４１の内面上下には、ろ過空気をケース本体１の前方外面へ向かって送出する第１・第２の遠心ファンユニット４３・４４が配置されている。前部ユニット２の前面には、ユニット前面の殆どを占める吸込口１８を開口し、吸込口１８の内側に少なくとも２以上のろ過平面２０ａを備えた立体構造のフィルター５が装着してある。ケース本体１の内部に、上側に位置する第１遠心ファンユニット４３の吸込口５０に連通する第１通路５１と、下側に位置する第２遠心ファンユニット４４の吸込口５０に連通する第２通路５２とが区画壁５３で区画されて、両通路５１・５２がフィルター５の上半部と下半部に臨ませてある。
【００１２】
上記のフィルター５は、活性炭繊維を含むハニカム材で形成されるフィルターエレメント２０と、フィルターエレメント２０の上下両端を支持するろ過フレーム２１と、フィルターエレメント２０に担持された光触媒物質を含む。前部ユニット２の吸込口１８とフィルターエレメント２０との間に区画されるろ過室Ｒに、光触媒物質を励起する縦長の光源６を配置する。前部ユニット２の内面に装着したフィルター５および光源６を、前部ユニット２と共にケース本体１から抜き外し可能とする。
【００１３】
ケース本体１に収容されるフィルターエレメント２０は断面Ｖ字状に形成する。フィルターエレメント２０の左右のろ過平面２０ａとケース本体１の両側壁との間に、通気空間を確保する。吸込口１８の外面を、複数の吸込開口３０を備えた立体構造の吸込グリル２７で覆う。
【００１４】
第１遠心ファンユニット４３と第２遠心ファンユニット４４は、吸込口５０が互いに逆向きに開口する状態でケース本体１に上下に隣接配置する。
【発明の効果】
【００１５】
本発明の空気清浄機は、左右細幅で縦長のケース本体１と、その前面に配置される前部ユニット２を躯体にして、ケース本体１の内部に送風用のファンユニット３・４とフィルター５を収容した。そのうえで、前部ユニット２の前面にユニット前面の大半を占める縦長の吸込口１８を開口して、吸込口１８の開口面積を大きくした。さらに、２以上のろ過平面２０ａを備えた立体構造のフィルター５を吸込口１８の内面側に配置することにより、細幅のケース本体１の内部空間を有効に利用しながら、フィルター５のろ過面積を従来の空気清浄機に比べて格段に大きくできるようにした。加えて、フィルター５の突端と対向するケース本体１の後壁に複数のファンユニット４を配置した。
【００１６】
このように、開口面積が大きな吸込口１８を備え、ろ過面積の大きなフィルター５を備えた空気清浄機によれば、吸込口１８における通風抵抗と、フィルター５における通風抵抗をそれぞれ小さくできるうえ、ケース本体１の後壁に配置したファンユニット４の吸引圧を最短距離でフィルターエレメント２０に作用させて、汚染空気を効果的に吸い込むことができるので、従来の空気清浄機に比べてより大量の汚染空気を吸い込んで効果的に浄化できる、浄化能力に優れた空気清浄機が得られる。
【００１７】
フィルター５のろ過面積が大きい分だけフィルターエレメント２０が目詰まりしにくいので、フィルター５の清掃や交換の手間を格段に軽減でき、空気清浄機をメンテナンスフリーの状態で長期にわたって連続使用でき、その分だけメンテナンス費用を削減できる。吸込口１８の開口面積が大きい分だけ、吸込口１８の周辺空気を広範に吸い込むことができる利点もある。
【００１８】
本発明の別の空気清浄機は、左右細幅で縦長のケース本体１と、その前面に配置される上パネル４１および前部ユニット２を躯体にして、ケース本体１の内部に送風用のファンユニット４３・４４とフィルター５を収容した。そのうえで、前部ユニット２の前面にユニット前面の殆どを占める吸込口１８を開口して、吸込口１８の開口面積を大きくした。さらに、吸込口１８の内面側に少なくとも２以上のろ過平面２０ａを備えた立体構造のフィルター５を配置して、左右細幅のケース本体１の内部に収容されるフィルター５のろ過面積を、従来の空気清浄機に比べて大きくできるようにした。
【００１９】
このように、開口面積が大きな吸込口１８を備え、ろ過面積の大きなフィルター５を備えた空気清浄機によれば、吸込口１８における通風抵抗と、フィルター５における通風抵抗をそれぞれ小さくでき、従来の空気清浄機に比べて、通風抵抗が小さい分だけ汚染空気を効果的に吸い込むことができる。
【００２０】
上パネル４１の内面上下に、第１・第２の遠心ファンユニット４３・４４を配置し、ケース本体１の内部に、第１遠心ファンユニット４３用の第１通路５１と、第２遠心ファンユニット４４用の第２通路５２とを区画したうえで、各通路５１・５２をフィルター５の上半部と下半部に臨ませる送風構造によれば、上下のファンユニット４３・４４によって充分な量の汚染空気をケース本体１の内部に吸い込んで、フィルター５でろ過することができ、先に説明したように通風抵抗が小さいことと相俟って、従来の空気清浄機に比べてより大量の汚染空気を効果的に浄化できる、浄化能力に優れた空気清浄機が得られる。
【００２１】
区分された第１・第２の各通路５１・５２をフィルター５の上半部と下半部に臨ませるので、ファンユニット４３・４４の吸引圧をフィルター５のろ過平面２０ａに対して均等に作用させることができる。したがって、フィルターエレメント２０が局部的に目詰まりするのを解消してフィルター５の清掃や交換の手間を軽減でき、その分だけメンテナンス費用を削減できる。
【００２２】
活性炭繊維を含むハニカム材で形成されるフィルターエレメント２０と、フィルターエレメント２０の上下両端を支持するろ過フレーム２１などでフィルター５を構成し、フィルターエレメント２０に光触媒物質が担持され、フィルターエレメント２０で囲まれるろ過室Ｒに、光触媒物質を励起する縦長の光源６を配置した空気清浄機によれば、フィルターエレメント２０に捕捉された粉塵、タバコ煙、花粉などの有機物や有害物質を、酸化チタンなどの光触媒物質によって分解することができるうえ、活性炭繊維によって臭いの成分などを吸着できる。したがって、タバコに由来する有害物質をも確実に除去して、充分に浄化された空気を送出できる空気清浄機が得られる。
【００２３】
前部ユニット２の内面にフィルター５および光源６を装着して、フィルター５および光源６を前部ユニット２と共にケース本体１から抜き外し可能とするので、前部ユニット２をケース本体１から抜き外して、ケース本体１の外面に露出させた状態でフィルター５や光源６等の清掃や交換などの作業を行うことができ、フィルター５や光源６はもちろん他の機器類をも含むメンテナンス作業をより少ない手間で簡便に行うことができる。
【００２４】
フィルターエレメント２０を断面Ｖ字状に形成すると、単純な立体構造でありながらろ過面積の大きなフィルター５を低コストで構成できる。さらに、フィルターエレメント２０の左右のろ過平面２０ａと、ケース本体１の両側壁との間に三角形状の通気空間が確保されるので、ろ過平面２０ａの全面にわたってファンユニット３・４の吸引圧を均等に作用させて、より大量の汚染空気を効果的に吸い込みながらろ過し浄化できる。
【００２５】
吸込口１８の外面を、複数の吸込開口３０を備えた立体構造の吸込グリル２７で覆うようにした空気清浄機によれば、吸込口１８の前方空間はもちろん、吸込口１８の左右空間を含むグリル周面の全ての空間から空気を吸い込むことができるので、タバコ煙などを含む汚染空気を効果的に吸い込んで浄化できる。
【００２６】
第１遠心ファンユニット４３と第２遠心ファンユニット４４を、両者の吸込口５０が互いに逆向きに開口する状態でケース本体１に上下に隣接配置してあると、各ファンユニット４３・４４の吸込口５０と、ケース側壁との対向間隔を大きくできるので、ケース本体１の左右幅寸法が小さい場合にも、各ファンユニット４３・４４の吸風効率が低下するのを確実に阻止して、浄化空気の送風効率を向上できる。
【発明を実施するための最良の形態】
【００２７】
（実施例１）  図１ないし図４は本発明に係る空気清浄機の実施例１を示す。図２において空気清浄機は、左右細幅で縦長のケース本体１と、ケース本体１の前面に着脱自在に装着される前部ユニット２とを躯体にして構成してあり、ケース本体１の内部に送風用のファンユニット３・４を収容し、前部ユニット２にフィルター５と、紫外線ランプ（光源）６（図１参照）などが組み込んである。
【００２８】
ケース本体１は、薄鋼板で形成した断面コ字状の鋼板ケース１ａと、鋼板ケース１ａの上下開口を塞ぐ端板１ｂとで前面が開口する薄箱状に形成してある。ケース本体１の左右幅は５０mm、奥行きは１７０mm、高さは８１０mmである。鋼板ケース１ａの後壁の上下４箇所には吹出口７（図１参照）が開口してあり、これらの吹出口７の内面側にそれぞれファンユニット４が装着固定してある。
【００２９】
ケース本体１の内面上部には、１個のファンユニット３と、プラスチック成形品からなる導風ケース８および吹出ケース９と、紫外線ランプ６用の電源ユニット１０などが配置してある。電源ユニット１０は、導風ケース８の上方空間に配置される。図３に示すように、導風ケース８内の空間は下向きに屈曲されていて、その入口がフィルター５の突端上方に指向させてある。吹出ケース９の大部分は、ケース本体１の前面開口から前方へ突出している。符号１１は空気清浄機の運転状態を点灯表示するＬＥＤである。
【００３０】
ケース後壁に設けた４個のファンユニット４が、ろ過空気をケース本体１の後方外面へ向かって送出するのに対し、上部のファンユニット３は、前部ユニット２の外面へ向かってろ過空気の一部を送給する。ファンユニット３・４は、ケース１２内に軸流型のファン１３とモーター１４が組み込んである市販のユニット部品からなり、ケース１２を、鋼板ケース１ａおよび導風ケース８にビスで締結することにより取り付けてある。端板１ｂは射出成形品からなり、外面の前端寄りの左右に断面Ｌ字状の装着レール１５が突設してある。
【００３１】
前部ユニット２は、薄鋼半で形成した上下に長い断面コ字状のパネル枠２ａと、パネル枠２ａの上下両端を塞ぐプラスチック製の端壁２ｂとからなる。パネル枠２ａの前面にはパネル面の大半を占める縦長の吸込口１８を開口し、その上方にファンユニット３用の吹出口１９が開口してある。吸込口１８は、上下に長い２個の主開口１８ａと、主開口１８ａの上下に隣接する小開口１８ｂとからなる。主開口１８ａと小開口１８ｂとの間の壁面を利用して、紫外線ランプ６用のソケット２４が装着してある。端壁２ｂは端板１ｂと同様の射出成形品からなり、その前端に把手２５が形成され、外面の左右に装着レール１５に連続する装着レール２６が形成してある。
【００３２】
フィルター５は、活性炭繊維を含むハニカム材で形成されるフィルターエレメント２０と、フィルターエレメント２０の上下両端を支持するろ過フレーム２１と、フィルターエレメント２０の上下端をろ過フレーム２１に固定する押え枠２２などで構成する。フィルターエレメント２０をろ過フレーム２１に装着し、その上下両端を押え枠２２で固定することにより、フィルターエレメント２０は断面Ｖ字状に保形される。これにより２個のろ過平面２０ａ（図１参照）を備えている、ろ過面積が大きな立体構造のフィルター５が得られる。押え枠２２は、ろ過フレーム２１の基端部分に差し込み係合されて装着姿勢を維持しており、フィルターエレメント２０を交換する場合には、ワンタッチで取り外すことができる。
【００３３】
フィルターエレメント２０には、有機物を分解して無害化する光触媒物質が担持してある。詳しくは、酸化チタン（光触媒物質）の粉末を液状のバインダーに混合し、得られた塗液を塗装ガンでフィルターエレメント２０の表面に吹き付けたのち、乾燥して酸化チタンをフィルターエレメント２０に担持する。ろ過フレーム２１は、平面視形状がＶ字状のプレス金具からなり、その基端部分がパネル枠２ａの内面に締結固定されている。
【００３４】
フィルターエレメント２０に担持させた酸化チタンを励起し活性化するために、吸込口１８とフィルターエレメント２０との間に区画されるろ過室Ｒに紫外線ランプ６を配置する。紫外線ランプ６は、蛍光灯と同様の上下に長い丸管状のランプからなり、その上下両端がソケット２４で支持してある。
【００３５】
上記のように前部ユニット２の内面に、フィルター５と紫外線ランプ６が装着してあると、前部ユニット２をケース本体１から取り外すことにより、フィルター５および紫外線ランプ６をケース本体１の外に露出させることができるので、フィルターエレメント２０および紫外線ランプ６の交換作業や、ファンユニット３・４のメンテナンス作業などを簡便に行うことができる。なお、フィルターエレメント２０は概ね６ヶ月おきに水洗い清掃することで再生でき、その寿命は２年以上である。
【００３６】
前部ユニット２をケース本体１に取り付けた状態においては、４個のファンユニット４が小さな間隔を間にしてフィルターエレメント２０の突端と正対して、その吸引圧を最短距離でフィルターエレメント２０に作用させ、面積が大きな断面Ｖ字状の左右のろ過平面２０ａで吸い込み空気のろ過を行える。さらに左右のろ過平面２０ａとケース本体１の両側壁との間には、三角形状の通気空間が確保されるので、ろ過平面２０ａの全面にわたってファンユニット３・４の吸引圧を均等に作用させて、より大量の汚染空気を効果的に吸い込みながらろ過し浄化できる。フィルターエレメント２０に捕捉された粉塵、タバコ煙、花粉などの有機物は、酸化チタンによって分解され、あるいは活性炭繊維によって臭いの成分などが吸着されるので、吹出口７・１９から送出される空気は充分に浄化されている。
【００３７】
前部ユニット２の外面には、吸込口１８の外面を覆う立体構造の吸込グリル２７と、吹出口１９の外面を覆う吹出グリル２８とが装着してある。吸込グリル２７は、断面外形が外凸状に湾曲するプラスチック成形品からなり、湾曲周面に沿って３個の吸込開口３０と、隣接する吸込開口３０を周方向へ区分する縦長のグリル枠３１とが交互に形成してある。このように吸込グリル２７を立体構造として、その吸込開口３０をグリル周面に沿って配置すると、吸込口１８の前方空間はもちろん、吸込口１８の左右空間を含むグリル周面の全ての空間から空気を吸い込むことができるので、タバコ煙などを含む汚染空気を効果的に浄化できる。
【００３８】
吹出グリル２８は平板状のプラスチック成形品からなり、吹出ケース９の出口開口と正対する位置に吹出開口３２が形成してある。このように、浄化された空気の一部をケース本体１の前方へ吹き出すと、例えば図４に示すように、空気清浄機が隣接するパチンコ遊技機３４の間に配置してある場合に、空気清浄機の前面側空間にいる遊技者に対して浄化された空気を供給できる。
【００３９】
なお、浄化された空気の殆どはは、パチンコ遊技機３４が取り付けられた遊技機ブース３５の内部に送出されて、その上面開口から通路へと流れ出る。前部ユニット２のパネル枠２ａが露出する状態で、空気清浄機を遊技機ブース３５に装着する場合には、交換作業やメンテナンス作業などをより簡便に行うことができる。ケース本体１および前部ユニット２に設けた装着レール１５・２６は、空気清浄機の遊技機ブース３５に対する出し入れを簡便化するために設けてある。
【００４０】
（実施例２）  図５ないし図８は本発明に係る空気清浄機の別の実施例２を示す。この実施例２においては、先の実施例１と実質的に同じ部材には同じ符号を付して、その説明を省略する。図５において空気清浄機は、左右細幅で縦長のケース本体１と、ケース本体１の前面開口を塞ぐ上パネル４１、および下側の前部ユニット２とを躯体にして構成してあり、ケース本体１の内部に、ろ過空気をケース本体１の前方外面へ向かって送出する第１・第２の遠心ファンユニット（ファンユニット）４３・４４と、フィルター５と、紫外線ランプ（光源）６などが収容してある。下側の前部ユニット２の上下寸法は、ケース本体１の上下寸法の半分以上（６割弱）に設定してあり、上パネル４１の上下寸法より大きい。
【００４１】
ケース本体１は、断面コ字状の鋼板ケース１ａと、鋼板ケース１ａの上下開口を塞ぐ端板１ｂとで前面が開口する薄箱状に形成してある。端板１ｂに把手２５が一体に形成してある。ケース本体１の左右幅は、先の実施例１に比べてさらに幅狭（４０mm）に形成してあるが、奥行きと高さは同じである。先の実施例１における空気清浄機では、浄化した空気の殆どをケース本体１の背面側へ送出したが、この実施例２に係る空気清浄機においては、浄化した空気の全てをケース本体１の前面側へ送出する。そのために上パネル４１の上下２箇所に吹出口７を開口し、両吹出口７の内面側に第１・第２の遠心ファンユニット４３・４４を配置している。
【００４２】
図６に示すように、遠心ファンユニット４３・４４は、ケース４７内に遠心型のファン４８とモーター４９が組み込んである市販のユニット部品からなり、ケース４７の一側に吸込口５０が開口してある。図８に示すように、上側の第１遠心ファンユニット４３は、吸込口５０が鋼板ケース１ａの左側壁と対向する向きに配置され、その送風口が吹出ダクト４６を介して吹出口７に接続してあって、吹出ダクト４６の分だけケース内奥に位置させてある。下側の第２遠心ファンユニット４４は、吸込口５０が鋼板ケース１ａの右側壁と対向する向きに配置され、その送風口が吹出口７に直接接続してある。
【００４３】
上記のように上下の遠心ファンユニット４３・４４を、それぞれの吸込口５０が互いに逆向きになる状態で上下に配置すると、各ファンユニット４３・４４の吸込口５０と、ケース側壁との対向間隔を大きく（約１０mm）できるので、ケース本体１の左右幅寸法が小さい場合にも、各ファンユニット４３・４４の吸風効率が低下するのを確実に阻止して、浄化空気の送風効率を向上できる。
【００４４】
上下に隣接する両遠心ファンユニット４３・４４の吸引圧を、フィルター５に対して均等に作用させるために、ケース本体１の内部に、第１遠心ファンユニット４３の吸込口５０に連通する第１通路５１と、第２遠心ファンユニット４４の吸込口５０に連通する第２通路５２とが形成してある。詳しくは、図６に示すように、フィルター５の上半部と下側の第２遠心ファンユニット４４との間に区画壁５３を設けて、ケース内空間を前側の第１通路５１と後側の第２通路５２とに区分し、両通路５１・５２をフィルター５の上半部と下半部に臨ませている。
【００４５】
前部ユニット２は、上下に長い断面コ字状の枠体からなり、その前面には枠面の殆どを占める縦長の吸込口１８を開口している。吸込口１８は、上下に長い主開口１８ａと、主開口１８ａの上下に隣接する小開口１８ｂとからなる。主開口１８ａと小開口１８ｂとの間の壁面を利用して、紫外線ランプ６用のソケット２４を装着する。
【００４６】
フィルター５は、先の実施例のフィルター５と基本的に同じ構造とされ、断面Ｖ字状に保形されるフィルターエレメント２０と、ろ過フレーム２１と、押え枠２２などで構成する。図６に示すように上下のろ過フレーム２１には通口５４が開口してあり、両通口５４の外面が導風カバー５５で覆われている。各導風カバー５５は、上下の小開口１８ｂに臨んで開口されているので、ろ過前の空気は主開口１８ａと小開口１８ｂの双方からろ過室Ｒに吸い込まれる。ろ過室Ｒに吸い込まれた空気は紫外線ランプ６を冷却することにも役立つ。フィルターエレメント２０には光触媒物質が担持させてあり、この光触媒物質を励起するためにろ過室Ｒに紫外線ランプ６を配置している。
【００４７】
上パネル４１には、吹出口７の外面を覆う吹出グリル２８が装着され、前部ユニット２の外面には、吸込口１８の外面を覆う立体構造の吸込グリル２７が装着してある。吸込グリル２７は、実施例１で説明した吸込グリル２７と同じ断面構造であるが上下寸法は小さい。両グリル２７・２８は、それぞれ着脱可能に取り付けてある。
【００４８】
実施例１・２で説明した空気清浄機は、それぞれ図４で説明したようにパチンコ遊技機３４の間に配置して使用できるが、図９（ａ）に示すように、本体ケース１をスタンド６０上に固定して自立可能とする場合には、カラオケブース、飲食店における座敷、インターネットカフェのパソコンブース、あるいは一般家庭などで使用することができる。必要があれば、図９（ｂ）に示すように、空気清浄機を壁や天井に固定したブラケット６１で横長姿勢に支持して使用することができる。
【００４９】
上記の実施例以外に、フィルターエレメント２０は断面Ｖ字状とする以外に、断面Ｗ字状や断面Ｕ字状、あるいは突端にろ過平面２０ａを備えた断面台形状などに形成することができる。ろ過平面２０ａは平坦面である必要はなく、外膨らみ状、あるいは内凹み状の湾曲面で形成することができる。もちろん連続山形に折られたろ過面を、全体として断面Ｖ字状に形成することができる。
【００５０】
光触媒物質としては、酸化チタン以外に、チタン酸ストロンチウム、酸化亜鉛、酸化タングステンなどを単体で使用し、あるいは２種以上が混在する状態で使用することができる。光源６としては、光触媒物質の違いなどに応じて、殺菌灯、オゾン線ランプ、冷陰極管、発光ダイオードなどを使用することができる。
【図面の簡単な説明】
【００５１】
【図１】図３におけるＡ−Ａ線断面図である。
【図２】空気清浄機の一部を破断した分解斜視図である。
【図３】空気清浄機の縦断側面図である。
【図４】空気清浄機の使用例を示す正面図である。
【図５】実施例２の空気清浄機の使用状態を示す斜視図である。
【図６】実施例２の空気清浄機の縦断側面図である。
【図７】図６におけるＢ−Ｂ線断面図である。
【図８】図６におけるＣ−Ｃ線断面図である。
【図９】空気清浄機の別の使用例を示す斜視図である。
【符号の説明】
【００５２】
１  ケース本体
２  前部ユニット
３・４  ファンユニット
５  フィルター
６  紫外線ランプ
１８  吸込口
２０ａ  ろ過平面
Ｒ  ろ過室
【図１】
2007029283.tif 000003
【図２】
2007029283.tif 000004
【図３】
2007029283.tif 000005
【図４】
2007029283.tif 000006
【図５】
2007029283.tif 000007
【図６】
2007029283.tif 000008
【図７】
2007029283.tif 000009
【図８】
2007029283.tif 000010
【図９】
2007029283.tif 000011